(57)【特許請求の範囲】
【請求項１】
被験者から採取した血液に含まれる赤血球の赤血球膜を崩壊させる崩壊工程と、
前記崩壊工程の後の血液の状態を観察する崩壊後観察工程と、
前記崩壊後観察工程で観察された血液の状態を基に、被験者の健康状態および生活状態の少なくとも一方を把握する情報を収集する情報収集工程と、
を含む情報収集方法。
【請求項２】
前記崩壊工程前の血液に含まれる赤血球の状態を観察する崩壊前観察工程をさらに含み、
前記情報収集工程は、前記崩壊前観察工程で観察された血液の状態をさらに含めて被験者の健康状態および生活状態の少なくとも一方を把握する情報を収集することを特徴とする請求項１に記載の情報収集方法。
【請求項３】
前記崩壊前観察工程は、血液中の赤血球の形状を観察することを特徴とする請求項２に記載の情報収集方法。
【請求項４】
前記崩壊前観察工程は、赤血球以外の粒子のブラウン運動を観察することを特徴とする請求項３に記載の情報収集方法。
【請求項５】
前記崩壊後観察工程は、前記崩壊工程の後の予め定められた時間毎に複数回行うことを特徴とする請求項１に記載の情報収集方法。
【請求項６】
前記崩壊後観察工程は、前記崩壊工程による赤血球の崩壊の度合いを、経時変化がない状態で観察することを特徴とする請求項１に記載の情報収集方法。
【請求項７】
前記崩壊後観察工程は、前記崩壊工程で崩壊した赤血球の内部物質を観察することを特徴とする請求項５に記載の情報収集方法。
【請求項８】
前記崩壊後観察工程は、前記崩壊工程の後の予め定められた時間後に、前記内部物質の形態変化および当該内部物質の粒子の形状変化をさらに観察することを特徴とする請求項７に記載の情報収集方法。
【請求項９】
前記崩壊後観察工程は、前記崩壊工程の後の予め定められた時間後に、前記内部物質から生成される塊状の細胞質の出現の有無をさらに観察することを特徴とする請求項７に記載の情報収集方法。
【請求項１０】
被験者から採取した血液に含まれる赤血球の赤血球膜を崩壊させる崩壊手段と、
前記崩壊手段により崩壊後の血液の状態を観察する観察手段と、
前記観察手段で観察された血液の状態を基に、被験者の健康状態および生活状態の少なくとも一方を把握する情報を収集する情報収集手段と、
を備える情報収集システム。
【請求項１１】
前記観察手段は、前記崩壊手段による崩壊前の血液に含まれる赤血球の状態をさらに観察し、
前記情報収集手段は、崩壊前に観察された血液の状態をさらに含めて被験者の健康状態および生活状態の少なくとも一方を把握する情報を収集する
ことを特徴とする請求項１０に記載の情報収集システム。
【請求項１２】
被験者から採取した血液に含まれる赤血球の赤血球膜を崩壊させた後の血液の画像を、予め定められた時間毎に取得する取得部と、
前記取得部により取得された画像を基に、被験者の健康状態および生活状態の少なくとも一方を把握する情報を収集する情報収集部と、
を備える情報収集装置。
【発明の詳細な説明】
【技術分野】
【０００１】
本発明は、情報収集方法、情報収集システム、情報収集装置に関する。
【背景技術】
【０００２】
従来より、疾病の予防や発見を行う観点から、被験者の健康の状態を検査する健康診断が行われている。健康診断では、例えば、被験者から血液を採取し、この血液の成分などを検査する項目が存在する。また、血液を顕微鏡等により観察し、これにより血液の状態を観察することがある。
【０００３】
特許文献１には、血液の検査方式が記載されている。この血液の検査方式では、被験者の左手から第一関節まで消毒し、被験者自らがその消毒場所にランセットの針を突いて出血させ、直ちに玉状の微量血液をカバーグラスの下面に着けてスライドグラスの上面との間に挟む。そして、かかるサンプルスライドを顕微鏡にセットして油浸用オイルを用い高倍率に焦点を調節し、赤血球がそのままの立体構造を保ちかつ重ならない程度に分布する箇所に視野のポイントを定めてパターン観察を行う。更に順次、視野のポイントを横及び縦方向にずらしてその都度、血球等のパターン観察を行った後、低倍率にして血漿中の異物の全体観察を行い、再び高倍率にして血漿中の異物の観察を少し異なる箇所で同様のプロセスで行なう。そしてこれらの結果を項目別のチェック表に記入する。
【０００４】
特許文献２には、血液健康支援システムが記載されている。この血液健康支援システムでは、位相差顕微鏡から取り込まれる動画像中から抽出した複数のフレーム画像は、背景消去用の差分処理、濃淡画像を二値画像に変換する二値化処理、ノイズ除去のための画像の収縮膨張処理が、前処理としてなされる。その後、フレーム画像中の細胞それぞれを識別するラベルを、前後のフレーム画像同士の比較により同一細胞には同一ラベルを付して行い、各細胞の軌跡が求められる。また、一のフレーム画像について、その静止画像中の細胞の面積、周囲長、外接する長方形の縦もしくは横の長さ、穴数、穴面積、真円からの複雑度などの特徴計測がなされる。そのようにして得られた細胞の特徴と、予め登録された細胞の特徴とを比較し、細胞状態またはそれに基づく健康状態が判定される。
【先行技術文献】
【特許文献】
【０００５】
【特許文献１】特開２００２−５５１０１号公報
【特許文献２】特開２００５−３４５３１０号公報
【発明の概要】
【発明が解決しようとする課題】
【０００６】
疾病の予防や発見を行う観点からは、健康診断はより多くの回数行い、健康の状態を把握することが好ましい。
しかしながら、従来の方法では、時間、費用、身体への負担などの観点から、頻繁に健康診断を行うのは困難である。
また例えば、血液検査では分析結果の数値が、規定値の範囲内であれば上限に近くても下限に近くても正常とされ、身体異常を訴えても検査としては異常判定されない場合もある。
本発明は、より簡易な方法で被験者の健康状態と共にその人の生活状況が本人にとって悪影響を起こしている様子を把握することができる情報収集方法、情報収集システムおよび情報収集装置を提供しようとするものである。
【課題を解決するための手段】
【０００７】
かくして、本発明によれば、被験者から採取した血液に含まれる赤血球の赤血球膜を崩壊させる崩壊工程と、崩壊工程の後の血液の状態を観察する崩壊後観察工程と、崩壊後観察工程で観察された血液の状態を基に、被験者の健康状態および生活状態の少なくとも一方を把握する情報を収集する情報収集工程と、を含む情報収集方法が提供される。
ここで、崩壊工程前の血液に含まれる赤血球の状態を観察する崩壊前観察工程をさらに含み、情報収集工程は、崩壊前観察工程で観察された血液の状態をさらに含めて被験者の健康状態および生活状態の少なくとも一方を把握する情報を収集することができる。この場合、血液の状態についてさらに多くの情報を収集することができる。
また、崩壊前観察工程は、血液中の赤血球の形状を観察することができる。この場合、血液の状態をより容易に把握することができる。
さらに、崩壊前観察工程は、赤血球以外の粒子のブラウン運動を観察することができる。この場合、血液の状態を赤血球以外の粒子により、さらに把握することができる。
またさらに、崩壊後観察工程は、崩壊工程の後の予め定められた時間毎に複数回行うことができる。この場合、血液の状態を、押圧後の血液の経時変化により把握することができる。
そして、崩壊後観察工程は、崩壊工程による赤血球の崩壊の度合いを、経時変化がない状態で観察するようにすることができる。この場合、赤血球の壊れやすさにより、被験者の健康状態および生活状況の少なくとも一方を把握することができる。
また、崩壊後観察工程は、崩壊工程で崩壊した赤血球の内部物質を観察するようにすることができる。この場合、赤血球の内部物質により、被験者の健康状態および生活状況の少なくとも一方を把握することができる。
さらに、崩壊後観察工程は、崩壊工程の後の予め定められた時間後に、内部物質の形態変化および内部物質の粒子の形状変化をさらに観察するようにすることができる。この場合、血液の状態を、押圧後の血液の内部物質の経時変化により把握することができる。
またさらに、崩壊後観察工程は、崩壊工程の後の予め定められた時間後に、内部物質から生成される塊状の細胞質の出現の有無をさらに観察するようにすることができる。この場合、血液の状態を、押圧後の血液の内部物質の経時変化により把握することができる。
【０００８】
また、本発明によれば、被験者から採取した血液に含まれる赤血球の赤血球膜を崩壊させる崩壊手段と、崩壊手段により崩壊後の血液の状態を観察する観察手段と、観察手段で観察された血液の状態を基に、被験者の健康状態および生活状態の少なくとも一方を把握する情報を収集する情報収集手段と、を備える情報収集システムが提供される。
ここで、観察手段は、崩壊手段による崩壊前の血液に含まれる赤血球の状態をさらに観察し、情報収集手段は、崩壊前に観察された血液の状態をさらに含めて被験者の健康状態および生活状態の少なくとも一方を把握する情報を収集するようにすることができる。
【０００９】
さらに、本発明によれば、被験者から採取した血液に含まれる赤血球の赤血球膜を崩壊させた後の血液の画像を、予め定められた時間毎に取得する取得部と、取得部により取得された画像を基に、被験者の健康状態および生活状態の少なくとも一方を把握する情報を収集する情報収集部と、を備える情報収集装置が提供される。
【発明の効果】
【００１０】
本発明によれば、より簡易な方法で被験者の健康状態および生活状況の少なくとも一方を把握することができる情報収集方法および情報収集装置を提供することができる。
【図面の簡単な説明】
【００１１】
【図１】本実施の形態の情報収集方法を説明するフローチャートである。
【図２】（Ａ）〜（Ｅ）は、崩壊前観察工程における血液の状態を示した図である。
【図３】崩壊直後の血液の状態を示した図である。
【図４】（Ａ）〜（Ｆ）は、崩壊後２０時間〜２４時間経過後の血液の状態を示した図である。
【図５】崩壊後２０時間〜２４時間経過後の血液の状態を示した図である。
【図６】崩壊後４０時間〜４８時間経過後の血液の状態を示した図である。
【図７】本実施の形態の情報収集システムについて示した図である。
【図８】分析装置の機能構成例を示したブロック図である。
【図９】分析装置の動作について説明したフローチャートである。
【発明を実施するための形態】
【００１２】
以下、本発明を実施するための形態（以下、発明の実施の形態）について詳細に説明する。なお、本発明は、以下の実施の形態に限定されるものではなく、その要旨の範囲内で種々変形して実施することが出来る。また、使用する図面は本実施の形態を説明するためのものであり、実際の大きさを表すものではない。
以下、図面に基づき、本実施の形態が適用される情報収集方法等について説明を行う。
【００１３】
＜情報収集方法の全体説明＞
まず、本実施の形態の情報収集方法について説明を行う。
図１は、本実施の形態の情報収集方法を説明するフローチャートである。
まず、必要な機器を準備する（ステップ１０１：準備工程）。ここでは、まず、顕微鏡を用意する。
用意する顕微鏡は、採取した血液に科学的変化を起こす染色などの処理を要せず、且つ採取した血液を生のまま観察可能な種類のものに限定され、少なくとも倍率は、赤血球大の８０μｍ内外の粒子、および内部物質に含まれる１００ｎｍ内外の粒子、双方の観察が可能であることが必要である。
また他に、スライドガラスとカバーガラスを用意する。カバーガラスは、例えば、１８ｍｍ四方以下の小さいものでよい。
【００１４】
次に、情報収集対象となる被験者の血液を採取する（ステップ１０２：採取工程）。
血液の採取は、採血とも呼ばれる。血液の採取の方法は、特に限られるものではなく、既存の採血用穿刺具を使用する方法や、注射器を使用する方法などを採用することができる。本実施の形態で採取する血液は、後述する観察が可能な量であり、例えば、血液の液滴１つで足りる。血液の体積としては、例えば、０．１ｍＬ程度である。即ち、本実施の形態の情報収集方法では、使用する血液は、微量でよく、被験者の負担を軽減することができる。
【００１５】
次に、カバーガラスに血液を付け、スライドガラス上に静置することで、プレパラートを作成する（ステップ１０３：プレパラート作成工程）。また逆に、スライドガラス上に血液を落とし、カバーガラスをかけることでプレパラートを作成してもよい。
そして、顕微鏡を用いて、赤血球膜を崩壊させる前の血液を観察する（ステップ１０４）。ここでは、検体である血液に含まれる赤血球の観察を行う。
そして、被験者の健康状態および生活状況の少なくとも一方を把握する情報を収集する（ステップ１０５：崩壊前の情報収集工程）。崩壊前の情報収集工程の具体的内容は、後述する。
【００１６】
さらに、被験者から採取した血液を押圧することで血液に含まれる赤血球の赤血球膜を崩壊させる（ステップ１０６：崩壊工程）。崩壊工程では、スライドガラス上の血液を、カバーガラスで押し潰して赤血球をできるだけ多く崩壊させる。また、予め定められた応力がカバーガラスに加わるようにすることもできる。例えば、カバーガラス上に予め定められた重量のおもりを載置することで、予め定められた応力がカバーガラスに加わる。
また、崩壊工程では、押圧することで赤血球を崩壊させる場合に限られるものではない。例えば、スライドガラスおよびカバーガラスの少なくとも一方を動かし、擦ることで、両者の間に作用する剪断力により、赤血球膜を崩壊させるようにしてもよい。重要な点は、化学反応的に赤血球膜を崩壊させないことである。またプレパラート内の全ての赤血球の赤血球膜を崩壊させる必要はない。
【００１７】
そして、顕微鏡を用いて、崩壊直後の血液を観察する（ステップ１０７：崩壊後の第１の観察工程）。
さらに、崩壊直後における、被験者の健康状態および生活状況の少なくとも一方を把握する情報を収集する（ステップ１０８：崩壊後の第１の情報収集工程）。
その後、血液の水分が蒸発しないように、ラップなどで密閉し、２０時間〜２４時間内外、常温で放置する（ステップ１０９：第１の静置工程）。第１の静置工程では、酸素を遮断する必要はない。また、滅菌や加熱して水分を飛ばす必要もなく、ラップで密閉する程度の保管状況でよい。なお、以下の第２の静置工程および第３の静置工程でも同様である。
【００１８】
そして、再度、顕微鏡を用いて、２０時間〜２４時間経過後の血液を観察する（ステップ１１０：崩壊後の第２の観察工程）。
さらに、２０時間〜２４時間経過後における、被験者の健康状態および生活状況の少なくとも一方を把握する情報を収集する（ステップ１１１：崩壊後の第２の情報収集工程）。
次に、血液の水分が蒸発しないように、ラップなどで密閉し、２０時間〜２４時間内外、常温で放置する（ステップ１１２：第２の静置工程）。この時点で、崩壊後、４０時間〜４８時間が経過している。
【００１９】
そして、再度、顕微鏡を用いて、４０時間〜４８時間経過後の血液を観察する（ステップ１１３：崩壊後の第３の観察工程）。
さらに、４０時間〜４８時間経過後における、被験者の健康状態および生活状況の少なくとも一方を把握する情報を収集する（ステップ１１４：崩壊後の第３の情報収集工程）。
次に、血液の水分が蒸発しないように、ラップなどで密閉し、２０時間〜２４時間内外、常温で放置する（ステップ１１５：第３の静置工程）。この時点で、崩壊後、６０時間〜７２時間が経過している。
【００２０】
そして、再度、顕微鏡を用いて、６０時間〜７２時間経過後の血液を観察する（ステップ１１６：崩壊後の第４の観察工程）。
さらに、６０時間〜７２時間経過後における、被験者の健康状態および生活状況の少なくとも一方を把握する情報を収集する（ステップ１１７：崩壊後の第４の情報収集工程）。
【００２１】
つまり、本実施の形態では、押圧等により、血液に含まれる赤血球の赤血球膜を崩壊させた後、ステップ１０７、ステップ１１０、ステップ１１３、ステップ１１６の合計４回の観察を行う。この４回の観察は、崩壊工程の後の血液の状態を観察する崩壊後観察工程として捉えることができる。
そして、本実施の形態では、押圧等により、血液に含まれる赤血球の赤血球膜を崩壊させた後、ステップ１０８、ステップ１１１、ステップ１１４、ステップ１１７の合計４回の情報の収集を行う。これら崩壊後の第１の情報収集工程〜崩壊後の第４の情報収集工程は、崩壊後観察工程で観察された血液の状態を基に、被験者の健康状態および生活状況の少なくとも一方を把握する情報を収集する情報収集工程として捉えることができる。
また、押圧等により、血液に含まれる赤血球の赤血球膜を崩壊させる前は、ステップ１０４で１回の観察を行う。ステップ１０４は、ステップ１０６の崩壊工程の前に行われる観察工程であり、崩壊工程前の血液に含まれる赤血球の状態を観察する崩壊前観察工程であると捉えることができる。
そして、崩壊前観察工程で観察された血液の状態をさらに含めて被験者の健康状態および生活状況の少なくとも一方を把握する情報を収集する。この崩壊前の情報収集工程も、情報収集工程として捉えることができる。これらの情報収集工程で収集する情報の内容については、後述する。
【００２２】
＜崩壊前観察工程および崩壊前の情報収集工程の説明＞
次に、崩壊前観察工程および崩壊前の情報収集工程についてさらに詳しく説明を行う。
ここでは、図２（Ａ）〜（Ｅ）を参照しつつ、説明を行う。図２（Ａ）〜（Ｅ）は、崩壊前観察工程における血液の状態を示した図である。
崩壊前観察工程では、以下の（１Ａ）〜（１Ｆ）の判断基準に基づき、血液の状態を観察する。そして、崩壊前の情報収集工程では、これらの判断基準に基づき被験者の健康状態および生活状況の少なくとも一方を把握する情報を収集する。ここで、（１Ａ）〜（１Ｄ）では、血液の赤血球Ｓの形状を観察する。また、（１Ｅ）〜（１Ｆ）では、赤血球Ｓ以外の粒子のブラウン運動を観察する。
【００２３】
（１Ａ）  図２（Ａ）に示すように、赤血球Ｓの形状が正円に近い形であれば問題はない。
（１Ｂ）  図２（Ｂ）に示すように、赤血球Ｓがそろばん玉のように連結して鎖状であっても、赤血球が正円に近ければ問題はない。
（１Ｃ）  図２（Ｃ）に示すように、一部の赤血球Ｓに正円ではないいびつなものや、ところどころ突起を持つ赤血球Ｓを見受ける場合は、偏食や加工食品の摂取、不規則な生活やストレスが多いなどの場合がある。
（１Ｄ）  図２（Ｄ）に示すように、赤血球Ｓのほとんどがイガイガ状の形状である場合は、採血状況が悪い場合があるので、再度採血してプレパラートを作成する。再度採血してもイガイガを持つ赤血球Ｓが多数あれば、ストレスを持つか何らかの疾病が考えられる。
（１Ｅ）  図２（Ｅ）に示すように、上記の（１Ａ）〜（１Ｄ）の状態に加え、赤血球Ｓ以外に粒状の小さな分子物Ｌが大量にブラウン運動する様子が見られる場合は、サプリメントや医薬品の摂取、またはビタミン注射などを行っている場合が多い。
（１Ｆ）  赤血球Ｓ以外の分子物Ｌの運動の活性が、元気な動きで活発であれば正常である。一方、動きが鈍い場合は、体調不良が考えられる。また、必要以上に激しい場合は、人工的な合成分子が関与している場合がある。
【００２４】
＜崩壊後観察工程および崩壊後の情報収集工程の説明＞
次に、崩壊後観察工程および崩壊後の情報収集工程についてさらに詳しく説明を行う。崩壊後観察工程は、上述したように、崩壊工程の後の予め定められた時間毎に複数回行う。そして、崩壊後観察工程では、下記の判断基準に基づき、血液の状態を観察する。そして、崩壊後の情報収集工程では、これらの判断基準に基づき、被験者の健康状態および生活状況の少なくとも一方を把握する情報を収集する。
【００２５】
（崩壊直後）
ここでは、図３を参照しつつ、説明を行う。図３は、崩壊直後の血液の状態を示した図である。
【００２６】
（２Ａ）  赤血球Ｓの多くが容易に崩壊しない場合は、赤血球膜が弾力性に富み柔軟性を持つ状況である。即ち、被験者が、健康で、相応の若さも維持できている状況となる。
（２Ｂ）  赤血球Ｓの多くが容易に崩壊してしまう場合は、赤血球膜であるタンパク質膜に劣化がある状況で、即ち、被験者の日常生活環境や食べ物の中に酸化要因が多いと考えられる。
（２Ｃ）  後述する図４に示すように、赤血球Ｓの崩壊で出てきた内容物である分子物Ｂは、大きさがおよそ１００ｎｍ前後が正常な範囲であるが、図３に示すように、稀に、この数倍以上の大きな分子物Ｃが見られる場合がある。この分子物Ｃは、例えば、大きさが１５０ｎｍ以上１０μｍ以下である。その場合は、人工合成による分子類（合成添加物など）を多食していたり、何らかの質の悪い生活習慣があるケースが多い。
（２Ｄ）  上記（２Ｃ）の判断と同様に、分子類の運動の活性が活発であれば正常であるが、動きが鈍い場合は体調不良が考えられる。一方、必要以上に激しい運動を持つ場合は添加物の多食や医薬品を飲用しているなどの場合がある。
【００２７】
（２０時間〜２４時間経過後）
ここでは、図４（Ａ）〜（Ｆ）および図５を参照しつつ、説明を行う。図４（Ａ）〜（Ｆ）および図５は、崩壊後２０時間〜２４時間経過後の血液の状態を示した図である。
【００２８】
ここでは、まず以下の（３Ａ）〜（３Ｃ）の観察を行う。
（３Ａ）  図４（Ａ）〜（Ｃ）に示すように、粒状の１００ｎｍ前後大の分子物が分子物Ｂのように、鎖状やタコ足状などの連鎖を呈していれば、分子の異常性は小さく、生活の質に問題はない。これは、崩壊した赤血球Ｓの内容物の影響で生成すると考えられる。この分子物Ｂの連鎖は、内部物質の粒子の形状変化の結果、生成したものであると把握することができる。
（３Ｂ）  図４（Ｄ）に示すように、赤血球Ｓよりひとまわり小さいコロナ状、ひまわり状、太陽状の、分子物Ｂの集合体がある場合は、人工合成添加物などの多量摂取者が多い。ただし、上記のようなタコ足状の連鎖が同時に見られる場合は、概ね問題はない。
（３Ｃ）  図４（Ｅ）に示すように、棒状の微生物のような分子物Ｂが出ていたり、図４（Ｆ）に示すように視野が濁っている場合は、生活の質が悪いか疾病がある場合が想定される。
【００２９】
さらに、以下の（４Ａ）〜（４Ｃ）の観察を行う。
（４Ａ）  図５に示すように、視野内に、タンパク質の塊状のような細胞質Ｔが登場していれば、健康状態は良好である。これは、崩壊した赤血球Ｓ及び内部物質及び内部粒子が変化して生成すると考えられる。
（４Ｂ）  視野内に、タンパク質の塊状のような細胞質Ｔが形成されていない場合の原因の一つは、老齢による。高齢者の場合は、４０時間から４８時間時間後の様子を再確認する。形成がない青年や若年層の場合は、食生活が粗悪かもしくは生活状況が悪いかストレスを有するか、もしくは体調不良を持つ場合が多いため、時間をおいて再確認する。
（４Ｃ）  視野内に、タンパク質の塊状のような細胞質Ｔが殆どない場合は、食生活が粗悪か、もしくは生活状況が悪いかストレスを有するか、もしくは何らかの悪影響のあるものを体内に取り込んでいる、または疲れやすいなどの何らかの体調不良を持つ場合が多いため、時間をおいて再確認する。
【００３０】
（４０時間〜４８時間経過後）
ここでは、図６を参照しつつ、説明を行う。図６は、崩壊後４０時間〜４８時間経過後の血液の状態を示した図である。
【００３１】
（５Ａ）  図６に示すように、１００ｎｍ大の粒状のほぼ全ての内容物が運動を停止しており、画面内に大きながタンパク質の塊状の細胞質Ｔに入れ代わっていれば、健康状態に問題はない。健康に問題ない場合は、これで観察は終了となる。
（５Ｂ）  タンパク質の塊状の細胞質Ｔが殆ど形成されていなかったり、分子類が運動を続けている場合は、さらに次の６０時間〜７２時間後の様子を再確認する。
【００３２】
（６０時間〜７２時間経過後）
（６Ａ）  この時点までタンパク質の塊状の細胞質Ｔが形成されない場合は、明らかに代謝異常を持つため、詳しい問診を行い生活改善を指導する。
（６Ｂ）  １００ｎｍ大の分子物のブラウン運動が続いている場合は、人工的な合成分子類（医薬品や質の悪いサプリメント、化粧品、その他）の摂取などが考えられるため、詳しい問診により摂取を停止させるなど、生活改善を指導する。
【００３３】
崩壊後観察工程は、採血直後には、崩壊工程による赤血球Ｓの崩壊の度合いを、経時変化がない状態で観察する。また、崩壊後観察工程は、崩壊工程で崩壊した赤血球Ｓの内部物質を観察する。このとき、内部物質の形態変化および内部物質の粒子の形状変化を観察する。また、崩壊工程の後の予め定められた時間後に、内部物質から生成される塊状の細胞質Ｔの出現の有無をさらに観察する。
【００３４】
＜情報収集システム１の全体説明＞
次に、本実施の形態の情報収集システム１について説明を行う。
図７は、本実施の形態の情報収集システム１について示した図である。
図示する情報収集システム１は、顕微鏡１０と、プレパラート２０と、分析装置３０とを備える。
顕微鏡１０は、光学顕微鏡であり、例えば、位相差顕微鏡や暗視野顕微鏡である。顕微鏡１０は、血液の状態を観察する観察手段の一例である。
顕微鏡１０は、例えば、位相差顕微鏡や暗視野顕微鏡であるが、特に限られるものではない。例えば、ＰＣ（Personal Computer）、スマートフォン、タブレット等に接続し、情報収集対象をディスプレイに表示するデジタルマイクロスコープなどであってもよい。
【００３５】
顕微鏡１０は、ステージ１１上に置かれたプレパラート２０に対し、光源１２から出射した光をコンデンサレンズ１３を通し照射し、プレパラート２０を透過した透過光を対物レンズ１４および接眼レンズ１５によって結像させる。顕微鏡１０が位相差顕微鏡である場合、対物レンズ１４は、位相板付き対物レンズとなる。また、顕微鏡１０が暗視野顕微鏡である場合、コンデンサレンズ１３は、遮光プレートを付加したものとなる。そして、結像された光学像を、接眼レンズ１５で観察することで、プレパラートとされた検体である血液を観察することができる。また、顕微鏡１０は、透過光をＣＣＤ（Charge Coupled Devices：電荷結合素子）イメージセンサ１６に導き、光学像として結像させることができる。そして、ＣＣＤイメージセンサ１６は、光学像を光電変換する。つまり、ＣＣＤイメージセンサ１６は、プレパラートを透過した透過光を画素単位で光電変換し、Ｒ（赤）、Ｇ（緑）、Ｂ（青）のアナログ画像信号を出力する。
【００３６】
プレパラート２０は、検体である血液をスライドガラスとカバーガラスとの間に挟み込むことで作成される。また、本実施の形態では、上述したように、スライドガラス上の血液を、カバーガラスで押し潰したり擦って赤血球を崩壊させる。よって、スライドガラスやカバーガラスは、この場合、被験者から採取した血液に含まれる赤血球の赤血球膜を崩壊させる崩壊手段として機能する。
【００３７】
分析装置３０は、情報収集装置若しくは情報収集手段の一例であり、顕微鏡１０で観察された血液の状態を基に、被験者の健康状態および生活状況の少なくとも一方を把握する情報を収集する。
この場合、分析装置３０は、顕微鏡１０から出力されたアナログ画像信号を取得し、このアナログ画像信号を基に形成される画像を基に、被験者の健康状態および生活状況の少なくとも一方を把握する情報を収集する。
【００３８】
分析装置３０は、例えば、ＰＣである。また、モバイルコンピュータ、携帯電話、スマートフォン、タブレット等のモバイル端末であってもよい。分析装置３０は、有線通信や無線通信を行い、顕微鏡１０に接続する。また、ＬＡＮ（Local Area Network）やＷＡＮ（Wide Area Network）を介して、顕微鏡１０に接続してもよい。また、分析装置３０は、ゲートウェイ装置やルータ等の中継装置を用い、複数のネットワークや通信回線を介して顕微鏡１０に接続してもよい。
【００３９】
分析装置３０は、演算手段であるＣＰＵ（Central Processing Unit）、記憶手段であるメインメモリ、および補助記憶手段であるＨＤＤ（Hard Disk Drive）やＳＳＤ（Solid State Drive）等のストレージを備える。ＣＰＵは、ＯＳ（基本ソフトウェア）やアプリケーションソフトウェア（応用ソフトウェア）等の各種ソフトウェアを実行する。また、メインメモリは、各種ソフトウェアやその実行に用いるデータ等を記憶する記憶領域であり、ストレージは、各種ソフトウェアに対する入力データや各種ソフトウェアからの出力データ等を記憶する記憶領域である。
さらに、分析装置３０は、外部との通信を行うための通信インタフェース（以下、「通信Ｉ／Ｆ」と表記する）と、ビデオメモリやディスプレイ等からなる表示デバイスと、キーボードやマウス等の入力デバイスとを備える。
【００４０】
図８は、分析装置３０の機能構成例を示したブロック図である。
なお、ここでは、分析装置３０が有する種々の機能のうち本実施の形態に関係するものを選択して図示している。
【００４１】
分析装置３０は、外部装置と情報の送受信を行う送受信部３１０と、画像の表示を行う表示部３２０と、ユーザが指示を入力する入力部３３０と、情報を記憶する記憶部３４０と、分析装置３０全体の制御および分析を行う制御部３５０とを備える。
【００４２】
送受信部３１０は、顕微鏡１０から検体である血液についてのアナログ画像信号を取得する。送受信部３１０は、例えば、通信Ｉ／Ｆに対応する。
送受信部３１０は、被験者から採取した血液に含まれる赤血球の赤血球膜を崩壊させた後の血液の画像を、予め定められた時間毎に取得する取得部として機能する。
【００４３】
表示部３２０は、血液の画像を表示する。表示部３２０は、例えば、ディスプレイ等の表示デバイスに対応する。
入力部３３０は、血液を観察する際に、ユーザが必要な事項を入力する機構部である。入力部３３０は、例えば入力デバイスに対応する。
なお、表示デバイスおよび入力デバイスは、これらの機能を兼ね備えたタッチパネルなどであってもよい。
記憶部３４０は、顕微鏡１０から取得した画像の情報や、制御部３５０で分析した結果を記憶する。記憶部３４０は、例えばストレージに対応する。
【００４４】
制御部３５０は、情報収集部の一例であり、送受信部３１０により取得された画像を基に、被験者の健康状態および生活状況の少なくとも一方を把握する情報を収集する。この場合、制御部３５０は、画像処理を行うことで、検体である血液の状態を取得し、これを被験者の健康状態および生活状況の少なくとも一方を把握する情報とする。
【００４５】
具体的には、取得する血液の状態は、崩壊前観察工程では、上述した判断基準（１Ａ）〜（１Ｄ）の赤血球の形状である。また、上述した判断基準（１Ｅ）〜（１Ｆ）では、赤血球以外のブラウン運動する粒子の運動である。
制御部３５０は、画像処理により、血液の状態を取得することができる。具体的には、制御部３５０は、画像中に存在する粒子の外縁部を抽出する。そして、制御部３５０は、外縁部の形状と予め用意された形状とのパターンマッチングを行い、赤血球の形状を判断することができる。また、制御部３５０は、外縁部の大きさにより、赤血球であるか、他の粒子であるかを区別することができる、さらに、制御部３５０は、予め定められた時間毎に、この外縁部の位置を検出することで、赤血球や他の粒子の運動を把握することができる。
【００４６】
また、取得する血液の状態は、崩壊後観察工程での崩壊直後では、上述した判断基準（２Ａ）〜（２Ｂ）で説明した、崩壊工程による赤血球の崩壊の度合いである。そして、上述した判断基準（２Ｃ）〜（２Ｄ）で説明した、押圧等により崩壊した赤血球の内部物質である。前者は、制御部３５０は、残存した赤血球の数をカウントすることで、赤血球の崩壊の度合いを判断することができる。また、後者は、内部物質の外縁部を抽出し、これから形状や運動を把握することができる。
【００４７】
そして、２０時間〜２４時間経過後、４０時間〜４８時間経過後および６０時間〜７２時間経過後では、上述した判断基準（３Ａ）〜（３Ｃ）、（４Ａ）〜（４Ｃ）、（５Ａ）〜（５Ｂ）、（６Ａ）〜（６Ｂ）で説明した、タンパク質の塊状等の内部物質内部物質の形態変化および内部物質の粒子の形状変化である。また、内部物質の運動である。これらは、内部物質の外縁部を抽出し、これから形状や運動を把握することができる。
【００４８】
＜分析装置３０の動作の説明＞
次に、分析装置３０の動作について説明を行う。
図９は、分析装置３０の動作について説明したフローチャートである。
まず、制御部３５０は、ユーザからの指示があったか否かを判断する（ステップ２０１）。この指示は、上述した情報収集工程における被験者の健康状態および生活状況の少なくとも一方を把握する情報を収集する指示である。つまり、ユーザは、崩壊前観察工程や崩壊後観察工程での予め定められたタイミングで、この指示を行う。この指示は、例えば、入力部３３０をユーザが操作することでなされる。
その結果、指示がなされていない場合（ステップ２０１でＮｏ）、ステップ２０１に戻る。
対して、指示がなされた場合（ステップ２０１でＹｅｓ）、制御部３５０は、送受信部３１０を介し、顕微鏡１０から、血液の画像を取得する（ステップ２０２）。
【００４９】
次に、制御部３５０は、表示部３２０にこの画像を表示する（ステップ２０３）。さらに、制御部３５０は、記憶部３４０にこの画像を記憶させる（ステップ２０４）。
そして、制御部３５０は、血液の画像の画像処理を行い、被験者の健康状態および生活状況の少なくとも一方を把握する情報を収集する（ステップ２０５）。
この結果は、制御部３５０が、表示部３２０に表示する（ステップ２０６）。またこのとき、上述した判断基準に基づき、被験者の健康状態および生活状況の少なくとも一方を表示する。
さらに、制御部３５０は、記憶部３４０にこの結果を記憶させる（ステップ２０７）。
なお、時間経過ごとの観察は、手動ではなくタイマー設定により自動的に稼働させてもよい。また、顕微鏡１０が分析装置３０と一体化されていてもよい。
【００５０】
健康診断は、疾病の予防や発見の観点から大切な手法である。
国民は市町村や企業により年に１度の健康診断や人間ドックが実施され、早期治療を目指している。
【００５１】
昔は老衰の死亡率が高かったが、戦後はガンが増え、１９９０年代以降は、生活習慣病と呼ばれる、日常生活の質が原因の疾病が増加している。高血圧や痛風など、死とは容易に直結しない慢性病もあるが、糖尿病のように人工透析にまで発展してしまう疾病や、ガンのように一旦治癒しても再発や全身転移に進む疾病も増加しており、国の医療費負担は大きな問題となっている。
【００５２】
しかし、疾病の予防や疾病を発見する健診や検査は、時間の面でも費用の面でも、また検査内容によっては身体への負担も大きく、頻繁に検査を行うことは容易ではない。こうした状況の中、より簡単に体調をチェックでき、検査を受ける人が自分でも確認することで生活内容の悪さを自ら実感できれば、生活改善がより促進すると期待できる。
しかも、将来何らかの疾病を引き起こす要素が見られた場合には、即座に生活改善を実施し、社会の疾病発生を抑えることに大きく貢献できる。
【００５３】
加えて、未病と呼ばれる疾病以前の体調は医師でも診断しにくく、疾病とは言えない体調不良を持っていても確実な診断方法がなく、辛さを理解されずにいる人々もいる。
ここで把握する生活状況は、例えば本人は良いと思って飲用しているサプリメントが実はその人には適しておらず却って害になっているなどの判断も可能であり、従来の健康診断では把握できなかった健康の不具合の原因を、容易に判断できるようになる。
そんな体調も簡単に確認できれば、より多くの人は不安なく生活できるようになる。
【００５４】
そして、以上詳述した情報収集方法、情報収集システム１および分析装置３０によれば、血液を押圧等して赤血球を崩壊させ、崩壊後の血液の状態の経時変化を観察し、被験者の健康状態および生活状況の少なくとも一方を把握するための情報を取得する。具体的には、押圧等により崩壊する赤血球の度合いを観察する。また、崩壊した赤血球の内部物質の観察を行い、内部物質の影響から生成される粒子の形態変化や形状変化や出現の有無を観察する。これにより、より簡易な方法で被験者の健康状態および生活状況の少なくとも一方を把握することができる。
【００５５】
また、併せて、血液を押圧等により崩壊する前の赤血球の状態や赤血球以外のブラウン運動する粒子の運動を観察し、被験者の健康状態および生活状況の少なくとも一方を把握するための情報を取得する。これにより、被験者の赤血球や赤血球以外のブラウン運動する粒子の状態を把握でき、被験者の健康状態および生活状況の少なくとも一方をさらに詳しく把握することができる。
【００５６】
また、以上詳述した情報収集方法等で使用する機器は、決して高額なものではない。例えば、顕微鏡１０としては、位相差顕微鏡や暗視野顕微鏡などの汎用の顕微鏡が使用でき、分析装置３０としては、通常のＰＣが使用できる。また、プレパラート２０を作成するのは、もとより安価である。即ち、血液培養、尿検査、検便などのような臨床装置や臨床検査も不要である。さらに、使用する血液は、微量でよく、被験者への負担はほとんどない。
【００５７】
よって、上記情報収集方法等は、例えば、市町村の殆どの個人病院で実施可能であり、かかりつけ医と呼ばれる医師たちが地元民の体調管理を、日々こまめに支える技術として使用できる。その結果、疾病の予防や発見に貢献できる。
また、上記情報収集方法等は、医師でなくとも、鍼灸士や整体師、保険士や健康管理士など、人々の健康を守る資格を持つ人々であれば衛生的な取り扱いに注意することで、問題なく活用できる。
【００５８】
さらに、上記情報収集方法等により、健康状態および生活状況の少なくとも一方を把握した結果、被験者が行う生活改善は、殆どが食生活の改善や日々の生活の心構えなどのため、被験者も取り組みやすく、高額な医薬品も不要である。そして、早期に体調不良を把握して生活改善で健康を整えれば、国の医療費負担の軽減にもつながる。
また、以上詳述した情報収集方法等を応用すれば、新薬が健康状況に与える影響を、簡易に、また、より短期でより安全性が高い判断方法として、医薬品開発に貢献できる。
【符号の説明】
【００５９】
１…情報収集システム、１０…顕微鏡、２０…プレパラート、３０…分析装置、３１０…送受信部、３２０…表示部、３３０…入力部、３４０…記憶部、３５０…制御部
【要約】
【課題】より簡易な方法で被験者の健康状態と共にその人の生活状況が本人にとって悪影響を起こしている様子を把握することができる情報収集方法、情報収集システムおよび情報収集装置を提供する。
【解決手段】被験者から採取した血液に含まれる赤血球の赤血球膜を崩壊させる崩壊工程と、崩壊工程の後の血液の状態を観察する崩壊後観察工程と、崩壊後観察工程で観察された血液の状態を基に、被験者の健康状態および生活状態の少なくとも一方を把握する情報を収集する収集工程と、を含む情報収集方法。
【選択図】図１【図１】
0006864279.tif 000002
【図２】
0006864279.tif 000003
【図３】
0006864279.tif 000004
【図４】
0006864279.tif 000005
【図５】
0006864279.tif 000006
【図６】
0006864279.tif 000007
【図７】
0006864279.tif 000008
【図８】
0006864279.tif 000009
【図９】
0006864279.tif 000010